(57)【特許請求の範囲】
【請求項１】
内容物が収容される容器本体の口部に装着される有頂筒状の装着筒部と、
前記装着筒部にヒンジ部を介して連結された上蓋部と、を備えるヒンジキャップであって、
前記上蓋部には、前記装着筒部の天壁部に向けて突設されるとともに弾性変形可能な係止壁が形成され、
前記装着筒部の天壁部には、
内容物が注出される注出孔と、
前記注出孔と前記ヒンジ部との間に配置され、前記上蓋部が前記装着筒部の天壁部を閉塞する閉位置に位置したときに前記係止壁が収容される収容凹部と、が形成され、
前記収容凹部には、前記ヒンジ部側を向く被係止面が形成されており、
前記上蓋部の開口縁と前記装着筒部の天壁部との間の前記ヒンジ部回りの開き角度が最大となる前記上蓋部の全開位置と、前記上蓋部の閉位置と、の間の前記上蓋部の半開位置が、前記係止壁が前記被係止面に係止することにより維持されるように構成され、
前記装着筒部に対して前記上蓋部が前記ヒンジ部回りに回動する回動中心を通り該上蓋部の軸に垂直な仮想平面に対して、前記係止壁が前記装着筒部の天壁部側へ向けて突出する突出量ａ、
前記回動中心と、前記係止壁における前記ヒンジ部とは反対側を向く壁面との間の距離ｒ、
前記上蓋部が半開位置とされた状態における前記開き角度θ、
及び、前記上蓋部が閉位置とされた状態における前記係止壁の前記ヒンジ部とは反対側を向く壁面と、前記被係止面との間の距離△ｘ、の関係式が、
ａ≧ｒ×ｔａｎ（θ／２）＋△ｘ／ｓｉｎθ
であることを特徴とするヒンジキャップ。
【請求項２】
請求項１に記載のヒンジキャップであって、
前記上蓋部には、前記装着筒部の前記注出孔に嵌合するシール突起が突設され、
前記上蓋部の軸方向に沿う前記シール突起の先端位置が、前記上蓋部の開口縁位置と同一、又は該開口縁よりも前記装着筒部側に配置されており、
前記上蓋部が半開位置とされた状態における前記開き角度θが、当該ヒンジキャップの外部から前記シール突起の先端を視認可能な限界値に設定されることを特徴とするヒンジキャップ。
【請求項３】
請求項１に記載のヒンジキャップであって、
前記装着筒部の天壁部には、前記上蓋部に向けて注出筒が突設されているとともに、該注出筒の内部が前記注出孔とされ、
前記上蓋部が半開位置とされた状態における前記開き角度θが、当該ヒンジキャップの外部から前記注出筒の先端を視認可能な限界値に設定されることを特徴とするヒンジキャップ。
【請求項４】
請求項１〜３のいずれか一項に記載のヒンジキャップであって、
前記被係止面には、前記係止壁が係止し、かつ摺接しながら通過可能とされた係止部が設けられていることを特徴とするヒンジキャップ。
【請求項５】
請求項１〜４のいずれか一項に記載のヒンジキャップであって、
前記係止壁は、前記上蓋部の軸回りに沿うように延設されており、
前記係止壁の前記突出量ａが、前記軸回りに沿って前記ヒンジ部側へ向かうに従い漸次小さくなっていることを特徴とするヒンジキャップ。
【発明の詳細な説明】
【技術分野】
【０００１】
本発明は、ヒンジキャップに関するものである。
【背景技術】
【０００２】
従来、例えば下記特許文献１に示されるような、内容物が収容される容器本体の口部に装着される有頂筒状の装着筒部と、装着筒部にヒンジ部を介して連結された上蓋部と、を備えるヒンジキャップが知られている。また、装着筒部の天壁部には、内容物が注出される注出孔が形成されており、上蓋部には前記注出孔を閉塞可能なシール突起が形成されていて、上蓋部を閉じることで注出孔が閉塞されるようになっている。
このヒンジキャップでは、上蓋部におけるヒンジ部に隣接する部分に逆Ｌ字状の弾性板が設けられ、装着筒部における前記弾性板に対応する部分に切除部が形成されて該弾性板を収容可能であるとともに、該切除部のヒンジ部とは反対側に隣接して突出壁が立設されている。
【０００３】
そして、装着筒部に対して上蓋部が開かれた状態から、この上蓋部をヒンジ部回りに回動させて閉じていくと、弾性板が突出壁に当接される。この状態からさらに上蓋部を閉じていくと、弾性板が弾性変形しながら突出壁上を摺動し、該突出壁に対する押圧力が最大となる位置を越えると、弾性板が復元変形して上蓋部が装着筒部に接近移動する。
【先行技術文献】
【特許文献】
【０００４】
【特許文献１】実開平４−７１６５３号公報
【発明の概要】
【発明が解決しようとする課題】
【０００５】
しかしながら、上述した従来のヒンジキャップでは、上蓋部が装着筒部に接近配置された状態では、使用者が、上蓋部が閉位置であるか半開位置（僅かに開かれた状態）であるかを認識しづらく、上蓋部が半開位置であるのに閉位置であると誤認識する場合がある。この場合、容器本体を傾けて内容物を漏出させたり、内容物が外気の影響を受けて変質したりするおそれがあった。
【０００６】
本発明は、このような事情に鑑みてなされたものであって、使用者が、上蓋部が半開位置にあることを容易に判別でき、これにより上蓋部が閉位置にあると誤認識することに起因する内容物の漏出や変質等を防止できるヒンジキャップを提供することを目的としている。
【課題を解決するための手段】
【０００７】
前記課題を解決するために、本発明は以下の手段を提案している。
本発明は、内容物が収容される容器本体の口部に装着される有頂筒状の装着筒部と、前記装着筒部にヒンジ部を介して連結された上蓋部と、を備えるヒンジキャップであって、前記上蓋部には、前記装着筒部の天壁部に向けて突設されるとともに弾性変形可能な係止壁が形成され、前記装着筒部の天壁部には、内容物が注出される注出孔と、前記注出孔と前記ヒンジ部との間に配置され、前記上蓋部が前記装着筒部の天壁部を閉塞する閉位置に位置したときに前記係止壁が収容される収容凹部と、が形成され、前記収容凹部には、前記ヒンジ部側を向く被係止面が形成されており、前記上蓋部の開口縁と前記装着筒部の天壁部との間の前記ヒンジ部回りの開き角度が最大となる前記上蓋部の全開位置と、前記上蓋部の閉位置と、の間の前記上蓋部の半開位置が、前記係止壁が前記被係止面に係止することにより維持されるように構成され、前記係止壁が前記上蓋部の開口縁から前記装着筒部の天壁部側へ向けて突出する突出量ａ、前記装着筒部に対して前記上蓋部が前記ヒンジ部回りに回動する回動中心と、前記係止壁における前記ヒンジ部とは反対側を向く壁面との間の距離ｒ、前記上蓋部が半開位置とされた状態における前記開き角度θ、及び、前記上蓋部が閉位置とされた状態における前記係止壁の前記ヒンジ部とは反対側を向く壁面と、前記被係止面との間の距離△ｘ、の関係式が、ａ≧ｒ×ｔａｎ（θ／２）＋△ｘ／ｓｉｎθであることを特徴とする。
【０００８】
本発明のヒンジキャップでは、装着筒部に対して上蓋部が全開位置とされた状態から、この上蓋部をヒンジ部回りに回動させて閉じていく過程において、該上蓋部の係止壁が、装着筒部の収容凹部の被係止面に当接するとともに、係止されるようになっている。このように係止壁と被係止面とが係止され、開き角度θとされた状態で、上蓋部の半開位置が維持される。
【０００９】
開き角度θとされた上蓋部の半開位置から、上蓋部に外力を加えてさらにヒンジ部回りに回動させることで、係止壁が弾性変形させられつつ被係止面上を摺動していき、被係止面に対する押圧力が最も大きくなる位置を越えると、該係止壁が復元変形させられるとともに上蓋部が装着筒部に向けて接近移動させられて、上蓋部が閉位置となる。
【００１０】
このヒンジキャップによれば、装着筒部に対して上蓋部がヒンジ部回りに回動する回動中心を通り該上蓋部の軸に垂直な仮想平面に対して、係止壁が装着筒部の天壁部側に向けて突出する突出量ａが、上記関係式により算出されることから、係止壁と被係止面との係止によって維持される上蓋部の半開位置が、所定の開き角度θ以上となるように簡単に設定できる。
以上より、上蓋部の半開位置における開き角度θを十分に大きく確保でき、よって使用者が、上蓋部が半開位置にあることを容易に判別でき、これにより上蓋部が閉位置にあると誤認識することに起因する内容物の漏出や変質等を顕著に防止することが可能である。
【００１１】
また、本発明のヒンジキャップにおいて、前記上蓋部には、前記装着筒部の前記注出孔に嵌合するシール突起が突設され、前記上蓋部の軸方向に沿う前記シール突起の先端位置が、前記上蓋部の開口縁位置と同一、又は該開口縁よりも前記装着筒部側に配置されており、前記上蓋部が半開位置とされた状態における前記開き角度θが、当該ヒンジキャップの外部から前記シール突起の先端を視認可能な限界値に設定されることとしてもよい。
【００１２】
この場合、上蓋部が開き角度θの半開位置に維持された状態で、ヒンジキャップの外部からシール突起の先端が視認可能であるので、使用者が、上蓋部が半開位置にあることをより確実に判別できる。
【００１３】
また、本発明のヒンジキャップにおいて、前記装着筒部の天壁部には、前記上蓋部に向けて注出筒が突設されているとともに、該注出筒の内部が前記注出孔とされ、前記上蓋部が半開位置とされた状態における前記開き角度θが、当該ヒンジキャップの外部から前記注出筒の先端を視認可能な限界値に設定されることとしてもよい。
【００１４】
この場合、上蓋部が開き角度θの半開位置に維持された状態で、ヒンジキャップの外部から注出筒の先端が視認可能であるので、使用者が、上蓋部が半開位置にあることをより確実に判別できる。
【００１５】
また、本発明のヒンジキャップにおいて、前記被係止面には、前記係止壁が係止し、かつ摺接しながら通過可能とされた係止部が設けられていることとしてもよい。
【００１６】
この場合、係止壁が被係止面の係止部に係止されることで、上蓋部が開き角度θの半開位置に安定して維持される。
【００１７】
また、本発明のヒンジキャップにおいて、前記係止壁は、前記上蓋部の軸回りに沿うように延設されており、前記係止壁の前記突出量ａが、前記軸回りに沿って前記ヒンジ部側へ向かうに従い漸次小さくなっていることとしてもよい。
【００１８】
この場合、係止壁の先端が被係止面に当接する際、被係止面に対して係止壁の先端が軸回りに沿うように広範囲に接触（線接触）させられることになり、係止壁の先端と被係止面との接触抵抗（摩擦抵抗）を大きく確保できる。従って、上記構成とは異なり例えば係止壁の突出量ａが軸回りに沿って同一であるとともに、該係止壁の先端のうちヒンジ部側の端部のみが被係止面に点接触するような構成に比べて、本発明の上記構成によれば係止壁が被係止面に確実に係止しやすくなる。これにより、上蓋部が開き角度θの半開位置により安定的に維持される。
【発明の効果】
【００１９】
本発明に係るヒンジキャップによれば、使用者が、上蓋部が半開位置にあることを容易に判別でき、これにより上蓋部が閉位置にあると誤認識することに起因する内容物の漏出や変質等を防止できる。
【図面の簡単な説明】
【００２０】
【図１】本発明の一実施形態に係るヒンジキャップを示す側断面図であり、上蓋部が閉位置とされた状態を表している。
【図２】図１のヒンジキャップにおいて、上蓋部が全開位置とされた状態を表す側断面図である。
【図３】図２のヒンジキャップの上面図である。
【図４】図１のヒンジキャップにおいて、上蓋部が半開位置とされた状態を表す側断面図である。
【図５】本発明の一実施形態に係るヒンジキャップの要部を拡大して示す図である。
【図６】図５のＡ部の拡大図である。
【図７】本発明の一実施形態に係るヒンジキャップの変形例を示す側断面図であり、上蓋部が閉位置とされた状態を表している。
【図８】図７のヒンジキャップにおいて、上蓋部が全開位置とされた状態を表す側断面図である。
【図９】図７のヒンジキャップにおいて、上蓋部が半開位置とされた状態を表す側断面図である。
【図１０】本発明の一実施形態に係るヒンジキャップの変形例を示す側断面図であり、上蓋部が閉位置とされた状態を表している。
【図１１】図１０のヒンジキャップにおいて、上蓋部が全開位置とされた状態、及び半開位置とされた状態を表す側断面図である。
【図１２】図１０のヒンジキャップの上蓋部の要部を、操作片からヒンジ部側へ向かって見た正面図（半断面図）である。
【発明を実施するための形態】
【００２１】
以下、本発明の一実施形態に係るヒンジキャップ１について、図面を参照して説明する。
図１〜図４に示されるように、本実施形態のヒンジキャップ１は、内容物が収容される容器本体５０の口部５１に装着される有頂筒状の装着筒部２と、装着筒部２にヒンジ部４を介して連結された上蓋部３と、を備えている。
これら装着筒部２及び上蓋部３は、それぞれの中心軸線が共通軸上に配置されている。本明細書では、この共通軸をキャップ軸Ｏといい、キャップ軸Ｏ方向に沿う上蓋部３側を上側、装着筒部２側を下側という。また、キャップ軸Ｏに直交する方向を径方向といい、キャップ軸Ｏ回りに周回する方向を周方向という。
【００２２】
容器本体５０は有底筒状をなしており、その口部５１が該口部５１以外の部位（胴部、底部及び肩部）よりも小径とされている。また、口部５１の外周面には雄ねじ部が形成されている。
【００２３】
装着筒部２は、天壁部５と、天壁部５の外周縁部から垂下設される外筒部６と、外筒部６の径方向内側に位置して天壁部５から垂下設される内筒部７と、内筒部７の径方向内側に位置して天壁部５から垂下設されるシール筒部８と、を備えている。
【００２４】
天壁部５は円板状をなしており、該天壁部５には、上側に向けて突設されその内部が内容物を注出する注出孔９とされた注出筒１０と、注出筒１０とヒンジ部４との間に配置されて天壁部５の上面から窪む収容凹部１１と、収容凹部１１のヒンジ部４とは反対側に隣接して天壁部５の上面に突設される突出壁１２と、が形成されている。
また図示の例では、天壁部５の上面における外周縁部は、該外周縁部以外の部位よりも一段窪まされている。
【００２５】
本実施形態においては、注出筒１０は、天壁部５におけるキャップ軸Ｏを挟んだヒンジ部４とは反対側に配置されている。注出筒１０の内周面は、その下端部が最も小径とされており、該下端部以外の部分はこの下端部から上側に向かうに従い漸次拡径している。これにより注出筒１０内に形成される注出孔９は、逆円錐孔状をなしている。また、注出孔９の下端部は、口部５１内に開口している。
【００２６】
図１、図２及び図４に示される例では、収容凹部１１は、天壁部５を上下方向に貫通して形成されている。図３に示される上面視で、収容凹部１１は、キャップ軸Ｏを曲率半径の中心とする円弧孔状をなしている。尚、図５に示されるように、収容凹部１１は、天壁部５を貫通することなく該天壁部５の上面にのみ開口する止め穴であってもよい。
【００２７】
また図３に示される上面視で、突出壁１２は、キャップ軸Ｏを曲率半径の中心とする円弧板状をなしている。突出壁１２の周方向に沿う位置及び長さは、収容凹部１１の周方向に沿う位置及び長さに対応している。
【００２８】
収容凹部１１においてヒンジ部４側を向く壁面、及び、突出壁１２においてヒンジ部４側を向く壁面は、互いに面一とされて一体に形成されており、該壁面が被係止面１３となっている。図示の例では、被係止面１３は、径方向外側へ向けて凸となる曲面状をなしており、具体的には、キャップ軸Ｏを中心軸とする仮想円筒の周面に沿うように形成されている。
【００２９】
図１、図２及び図４において、外筒部６の外径は、容器本体５０（の胴部）の外径と略同一となっている。図示の例では、外筒部６の径方向に沿う厚さ（肉厚）は、天壁部５から下側に向かうに従い漸次僅かに薄くされている。外筒部６の上端部のうち、周方向に沿うヒンジ部４の後述する中央連結片２６に対応する部分は、その外周面が他の部分よりも径方向内側に一段窪まされた段差部１４とされており、該段差部１４には、中央連結片２６の下側部分が収容可能となっている。
【００３０】
内筒部７の内周面には、口部５１の雄ねじ部に螺着する雌ねじ部が形成されている。シール筒部８は、口部５１の径方向内側に嵌合している。また図示の例では、天壁部５の下面における内筒部７とシール筒部８との間に位置する部分に環状突起１５が形成されており、該環状突起１５は、口部５１の上端開口縁に上側から当接している。
装着筒部２において天壁部５から垂下設される外筒部６、内筒部７及びシール筒部８のキャップ軸Ｏ方向に沿う長さ（つまり天壁部５から下側へ延設される長さ）は、外筒部６、内筒部７、シール筒部８の順に小さくなっている。
【００３１】
上蓋部３は有頂筒状をなしており、天壁１６と、周壁１７と、を有している。上蓋部３は、装着筒部２の天壁部５を閉塞可能に該装着筒部２に着脱される。上蓋部３の軸Ｏａは、該上蓋部３が閉じられた状態（図１に示される状態）において、キャップ軸Ｏに一致する。
図１に示される縦断面視で、天壁１６は、上側へ向けて凸となる曲線状をなしている。天壁１６には、下側に向けて突設されるとともに少なくともその先端部（下端部）が収容凹部１１内に収容可能とされ、かつ弾性変形可能とされた係止壁１８と、下側に向けて突設されるとともに注出筒１０内に嵌合して注出孔９を閉塞可能なシール突起１９と、下側に向けて突設され、シール突起１９及び注出筒１０よりも大径とされてこれらシール突起１９及び注出筒１０を径方向から覆うカバー筒２０と、が形成されている。
【００３２】
図３に示されるように本実施形態では、係止壁１８が、後述の中央連結片２６を周方向から挟むように一対形成されている。係止壁１８は、上蓋部３の軸Ｏａ（上蓋部３が閉じられた状態のキャップ軸Ｏ）を曲率半径の中心とする円弧板状をなしている。係止壁１８の径方向に沿う厚さは、収容凹部１１の径方向に沿う開口幅よりも小さくされている。
【００３３】
図１に示されるように、上蓋部３が装着筒部２の天壁部５を閉塞する閉位置に位置したときに、係止壁１８の先端部は収容凹部１１内に収容され、係止壁１８において径方向内側を向く壁面１８ａは被係止面１３に対向配置される。壁面１８ａは、被係止面１３の形状に対応して径方向外側へ向けて凹となる曲面状をなしており、具体的には、キャップ軸Ｏを中心軸とする仮想円筒の周面に沿うように形成されている。
【００３４】
図３において、天壁１６における一対の係止壁１８同士の間の部分、及び該部分に対応する（径方向外側に位置する）周壁１７部分には、中央連結片２６の上側部分を収容可能な切欠き部２１が、これら天壁１６及び周壁１７を貫通して形成されている。
図１及び図３において、係止壁１８の切欠き部２１側の端部と、周壁１７において切欠き部２１に臨む部分とは、天壁１６から垂下設された補強壁２２により連結されており、これにより切欠き部２１を設けた上蓋部３の強度が確保されている。具体的に図１において、補強壁２２は係止壁１８の上側部分にのみ連結されており、該係止壁１８の下側部分は容易に弾性変形可能とされている。
【００３５】
図１及び図４において、本実施形態のシール突起１９は筒状をなしている。シール突起１９において注出孔９に嵌合する下側部分は、略一定の外径とされており、シール突起１９の上側部分は、上側に向かうに従い漸次拡径している。また、上蓋部３の軸Ｏａ方向に沿うシール突起１９の先端（下端）位置は、上蓋部３の開口縁よりも下側に配置されている。具体的に前記上蓋部３の開口縁とは、周壁１７の下端開口縁であり、本実施形態ではシール突起１９の先端部が周壁１７の下端開口縁よりも下側に向けて突出している。
また本実施形態においては、図４及び図５に示されるように、装着筒部２に対して上蓋部３がヒンジ部４回りに回動する回動中心を通り該上蓋部３の軸Ｏａに垂直な仮想平面Ｓ上に、上蓋部３の開口縁が一致するように配置されている。
【００３６】
本実施形態では、図１に示されるように上蓋部３が閉位置とされた状態で、シール突起１９の先端は装着筒部２の天壁部５よりも下側に突出しており、該シール突起１９の先端外周面に形成された環状突起２４が、天壁部５における注出孔９の周縁部に下側から当接し係止されている。
【００３７】
このように上蓋部３が閉位置とされた状態で、カバー筒２０の下端開口縁は、天壁部５の上面に対して若干の隙間をあけて接近配置されている。またこの状態で、カバー筒２０とシール突起１９との間に、注出筒１０が収容されている。
また図１において、周壁１７におけるキャップ軸Ｏを挟んだヒンジ部４とは反対側には、径方向外側へ向けて突出するとともに周方向に沿って延びる円弧板状の操作片２５が形成されている。
【００３８】
本実施形態のヒンジ部４は、中央連結片２６と、中央連結片２６を周方向から挟むように配設された一対の側方連結片２７と、を備える、所謂三点ヒンジである。
図１において、中央連結片２６は、弾性変形可能なＬ字板状をなしている。中央連結片２６の径方向内側の端部には第１ヒンジ２８が設けられており、該中央連結片２６は第１ヒンジ２８を介して上蓋部３の天壁１６に連結されている。また、中央連結片２６の下端部には第２ヒンジ２９が設けられており、該中央連結片２６は第２ヒンジ２９を介して装着筒部２の外筒部６に連結されている。
【００３９】
図１に示される上蓋部３が閉位置とされた状態で、中央連結片２６における上側部分は上蓋部３の切欠き部２１内に収容されており、下側部分は装着筒部２の段差部１４内に収容されていて、該中央連結片２６の外周面は、上蓋部３の外周面及び装着筒部２の外周面に略面一となっている。
【００４０】
図１〜図３において、側方連結片２７は、上蓋部３の周壁１７から径方向外側へ向けて突設された第１突起３０と、装着筒部２の外筒部６から径方向外側へ向けて突設された第２突起３１と、これらの第１突起３０と第２突起３１とを連結する第３ヒンジ３２と、を備えている。
【００４１】
図１、図２及び図４におけるヒンジキャップ１の側断面視に示されるように、このヒンジキャップ１は、上蓋部３の開口縁と装着筒部２の天壁部５との間のヒンジ部４回りの開き角度が最大となる上蓋部３の全開位置（図２に示される状態）と、上蓋部３の閉位置（図１に示される状態）と、の間の上蓋部３の半開位置（図４に示される状態）が、係止壁１８が被係止面１３に係止することにより維持されるように構成されている。
尚、本実施形態では、装着筒部２に対して上蓋部３がヒンジ部４の第３ヒンジ３２を回動中心として回動するようになっており、図２に示される例では、上蓋部３が全開位置とされた状態における開き角度が略１８０°とされている。
【００４２】
図４に示されるように、上蓋部３が半開位置とされた状態における開き角度θは、当該ヒンジキャップ１の外部からシール突起１９の先端（下端）を視認可能な限界値（視認不可になる開き角度との境界値）に設定されている。また、この開き角度θは、当該ヒンジキャップ１の外部から注出筒１０の先端（上端）を視認可能な限界値に設定されている。
具体的に、図４に示される上蓋部３の半開位置における開き角度θは、例えば５°〜３０°であり、好ましくは１０°〜２５°である。
【００４３】
そして、図５及び図６において、仮想平面Ｓに対して係止壁１８が装着筒部２の天壁部５側へ向けて突出する突出量ａ、装着筒部２に対して上蓋部３がヒンジ部４回りに回動する回動中心と、係止壁１８におけるヒンジ部４とは反対側を向く壁面１８ａとの間の距離ｒ、上蓋部３が半開位置とされた状態における開き角度θ、及び、上蓋部３が閉位置とされた状態における係止壁１８の壁面１８ａと、被係止面１３との間の距離△ｘ、の関係が、下記式（１）で表される。
ａ≧ｒ×ｔａｎ（θ／２）＋△ｘ／ｓｉｎθ  …（１）
【００４４】
この関係式（１）において、「ｒ×ｔａｎ（θ／２）」は、図５における符号ｂの寸法を表している。また、「△ｘ／ｓｉｎθ」は、図５及び図６における符号ｃの寸法を表している。つまり前記突出量ａは、上蓋部３が半開位置とされた状態で所定の開き角度θ以上となるように設定されており、具体的には前記開き角度θにおける符号ｂと符号ｃとの和以上となるように設定されている。
尚、上記関係式（１）は、装着筒部２に対する上蓋部３の回転中心軸線（図３において一対の第３ヒンジ３２を通り左右方向に延びる上蓋部３の回転軸）に垂直な各縦断面内で、被係止面１３及び係止壁１８の周方向全域にわたって満たされている。
【００４５】
以上説明した本実施形態のヒンジキャップ１では、図２に示されるように装着筒部２に対して上蓋部３が全開位置とされた状態から、この上蓋部３をヒンジ部４回りに回動させて閉じていく過程において、該上蓋部３の係止壁１８が、装着筒部２の収容凹部１１の被係止面１３に当接するとともに、係止されるようになっている。図４に示されるように係止壁１８と被係止面１３とが係止され、開き角度θとされた状態で、上蓋部３の半開位置が維持される。
【００４６】
開き角度θとされた上蓋部３の半開位置から、上蓋部３に外力を加えてさらにヒンジ部４回りに回動させることで、係止壁１８が弾性変形させられつつ被係止面１３上を摺動していき、被係止面１３に対する押圧力が最も大きくなる位置を越えると、該係止壁１８が復元変形させられるとともに上蓋部３が装着筒部２に向けて接近移動させられて、図１に示されるように上蓋部３が閉位置となる。
【００４７】
このヒンジキャップ１によれば、仮想平面Ｓから（本実施形態の例では上蓋部３の開口縁から）係止壁１８が装着筒部２の天壁部５側に向けて突出する突出量ａが、上記関係式（１）により算出されることから、係止壁１８と被係止面１３との係止によって維持される上蓋部３の半開位置が、所定の開き角度θ以上となるように簡単に設定できる。
以上より、上蓋部３の半開位置における開き角度θを十分に大きく確保でき、よって使用者が、上蓋部３が半開位置にあることを容易に判別でき、これにより上蓋部３が閉位置にあると誤認識することに起因する内容物の漏出や変質等を顕著に防止することが可能である。
【００４８】
また、上蓋部３の軸Ｏａ方向に沿うシール突起１９の先端位置が、上蓋部３の開口縁よりも下側（装着筒部２側）に配置されており、上蓋部３が半開位置とされた状態における開き角度θが、当該ヒンジキャップ１の外部からシール突起１９の先端を視認可能な限界値に設定されているので、下記の効果が得られる。
すなわち、図４に示されるように、ヒンジキャップ１の外部からシール突起１９の先端が視認可能であるか否かを確認することにより、使用者が、上蓋部３が半開位置にあることをより確実に判別できる。
【００４９】
また、上蓋部３が半開位置とされた状態における開き角度θが、当該ヒンジキャップ１の外部から注出筒１０の先端を視認可能な限界値に設定されているので、下記の効果が得られる。
すなわち、ヒンジキャップ１の外部から注出筒１０の先端が視認可能であるか否かを確認することにより、使用者が、上蓋部３が半開位置にあることをより確実に判別できる。
【００５０】
尚、本発明は前述の実施の形態に限定されるものではなく、本発明の趣旨を逸脱しない範囲において種々の変更を加えることが可能である。
【００５１】
例えば、前述の実施形態では、上蓋部３の軸Ｏａ方向に沿うシール突起１９の先端位置が、上蓋部３の開口縁よりも下側に配置されているとしたが、これに限定されるものではなく、シール突起１９の先端位置は、上蓋部３の開口縁位置と同一であってもよい。この場合においても、ヒンジキャップ１の外部からシール突起１９の先端が視認可能であるか否かを確認することにより、使用者が、上蓋部３が半開位置にあることをより確実に判別できる、という上記同様の効果が得られる。
【００５２】
また、上蓋部３の軸Ｏａ方向に沿うシール突起１９の先端位置が、上蓋部３の開口縁よりも上側（装着筒部２とは反対側）に配置されていてもよい。
またシール突起１９は、注出孔９に着脱可能に嵌合して該注出孔９を閉塞可能な形状とされていればよいことから、前述の実施形態で説明した筒状以外の例えば棒状等であってもよい。また、シール突起１９の環状突起２４は設けられていなくてもよい。
【００５３】
また、注出筒１０（注出孔９）、シール突起１９及びカバー筒２０の配置は、前述の実施形態で説明したものに限定されない。
ここで、図７〜図９に示されるものは、前述したヒンジキャップ１の変形例である。この変形例では、注出筒１０とその注出孔９、シール突起１９、カバー筒２０が、キャップ軸Ｏ上に同軸に配置されている。尚、この変形例において、図７は上蓋部３が閉位置とされた状態、図８は上蓋部３が全開位置とされた状態、図９は上蓋部３が開き角度θの半開位置とされた状態をそれぞれ表している。
【００５４】
また、シール突起１９が設けられていなくてもよい。ただしこの場合、上蓋部３の天壁１６から垂下設されて注出筒１０の径方向外側に着脱可能に嵌合されるシール筒（図示省略）が設けられることが好ましい。
また、注出筒１０が設けられていなくてもよい。この場合、天壁部５の上面に注出孔９が直接開口されることになる。
また、カバー筒２０が設けられていなくてもよい。
【００５５】
また、図３に示される上面視において、係止壁１８及び突出壁１２は円弧状の板状とされ、収容凹部１１は円弧状の孔状とされているが、これに限定されるものではない。具体的に例えば、これら係止壁１８、突出壁１２及び収容凹部１１の上面視形状は、前述した形状以外の例えば直線状や曲線状等であってもよい。
【００５６】
また、係止壁１８が、中央連結片２６を周方向から挟むように一対形成されているとしたが、これに限定されるものではなく、係止壁１８の数は、単数又は３つ以上であってもよい。
また同様に、突出壁１２及び収容凹部１１は、複数設けられていてもよい。
【００５７】
また、前述の実施形態では、収容凹部１１においてヒンジ部４側を向く壁面、及び、突出壁１２においてヒンジ部４側を向く壁面が一体に形成されて、被係止面１３とされているとしたが、これに限定されるものではない。具体的に、例えば突出壁１２は設けられていなくてもよく、この場合、収容凹部１１の壁面のみにより被係止面１３が形成される。
【００５８】
また、図６に２点鎖線で示すように、被係止面１３には、係止壁１８が係止し、かつ摺接しながら通過可能（言い換えれば、乗り越え可能）とされた係止突起（係止部）３３が突設されていてもよい。この場合、係止壁１８が被係止面１３の係止突起３３に係止されることで、上蓋部３が開き角度θの半開位置に安定して維持される。
【００５９】
ここで、図１０〜図１２に示されるものは、前述したヒンジキャップ１の変形例である。この変形例において、図１０は上蓋部３が閉位置とされた状態、図１１は上蓋部３が全開位置とされた状態（実線で示される状態）、及び上蓋部３が開き角度θの半開位置とされた状態（２点鎖線で示される状態）を表している。この変形例では、上記係止突起３３が、被係止面１３の下端（天壁部５を貫通する収容凹部１１の下端）にまで延設されている。尚、係止突起３３は、被係止面１３において周方向に延設されていてもよく、或いは係止壁１８に対応する部分にのみ形成されていてもよい。
このような係止突起３３が設けられることで、係止壁１８が被係止面１３に係止されずに該係止突起３３を乗り越えてしまうことが抑制され、係止壁１８の先端が被係止面１３に対してより確実に係止されやすくなる。
【００６０】
また特に図示していないが、係止壁１８が係止する被係止面１３の係止部として、上記係止突起３３の代わりに（又はこれとともに）、被係止面１３がえぐられて（窪まされて）形成された係止凹部が設けられていてもよい。この場合、係止凹部に係止された係止壁１８の先端が、該係止凹部の内壁（係止凹部のうち係止壁１８の先端が当接する内壁面）に摺接しながら通過可能とされて、該係止凹部内から離脱する。
【００６１】
またこの変形例においても、前述した実施形態（図３を参照）と同様に、係止壁１８は、上蓋部３の軸Ｏａ回りに沿うように延設されている。そして、図１１及び図１２に示されるように、仮想平面Ｓからの係止壁１８の突出量ａが、軸Ｏａ回りに沿ってヒンジ部４側へ向かうに従い漸次小さくなっている。具体的に、係止壁１８において天壁１６とは反対側を向く先端は、軸Ｏａ回りに沿うように延びており、該先端の高さ（仮想平面Ｓから前記先端までの距離）が、装着筒部２に対する上蓋部３の回転中心軸線であるヒンジ部４側へ向かって低くなっている。
このような係止壁１８が、被係止面１３に当接する際は、被係止面１３に対して係止壁１８の先端が軸Ｏａ回りに沿うように広範囲に接触（線接触）させられることになり、係止壁１８の先端と被係止面１３との接触抵抗（摩擦抵抗）を大きく確保できる。具体的に、図１１に２点鎖線で示される上蓋部３の半開位置において、係止壁１８の先端は、係止突起３３の上端縁に沿うようにキャップ軸Ｏ回りに延びているとともに、被係止面１３に対して線接触している。この変形例によれば、係止壁１８が係止部（段部）に確実に係止される。また、係止部に対して係止壁１８が摺接しながら通過する際には、一定値以上の負荷（力）が必要となる。これにより、上蓋部３の半開位置（開き角度θ）が、これら係止壁１８と係止部との係止関係によって精度よく一定に定められる。従って、上記構成とは異なり例えば係止壁１８の突出量ａが軸Ｏａ回りに沿って同一であるとともに、該係止壁１８の先端のうちヒンジ部４側の端部（切欠き部２１側の端部）のみが被係止面１３に点接触するような構成に比べて、この変形例の上記構成によれば係止壁１８が被係止面１３に確実に係止しやすくなる。これにより、上蓋部３が開き角度θの半開位置により安定的に維持される。
【００６２】
また、前述の実施形態では、被係止面１３はキャップ軸Ｏを中心軸とする仮想円筒の周面に沿うように形成され、係止壁１８の壁面１８ａは、被係止面１３の形状に対応してキャップ軸Ｏを中心軸とする仮想円筒の周面に沿うように形成されていて、これら被係止面１３の曲率と壁面１８ａの曲率とが略同一とされているが、これに限定されるものではなく、被係止面１３の曲率と壁面１８ａの曲率とが互いに異なっていてもよい。
【００６３】
また、ヒンジ部４が、中央連結片２６と、中央連結片２６を周方向から挟むように配設された一対の側方連結片２７と、を備えた三点ヒンジであるとしたが、これに限定されるものではなく、ヒンジ部４は例えば一点ヒンジ等であってもよい。
【００６４】
また、前述の実施形態では、装着筒部２に対して上蓋部３がヒンジ部４回りに回動する回動中心を通り該上蓋部３の軸Ｏａに垂直な仮想平面Ｓ上に、上蓋部３の開口縁が一致するように配置されているとしたが、これに限定されるものではない。すなわち、上蓋部３の開口縁は、仮想平面Ｓ上に一致していなくてもよい。具体的には、上蓋部３の開口縁が、仮想平面Ｓに対して上側又は下側に配置されていてもよい。或いは、上蓋部３の開口縁が、周方向に向かうに従い上下方向に凹凸して形成されていたり、傾斜して形成されていてもよい。
【００６５】
また、前述の実施形態では、容器本体５０の口部５１と装着筒部２の内筒部７とが螺着により連結されているが、これに限定されるものではない。すなわち、これら口部５１と内筒部７とは、螺着以外のアンダーカット嵌合や単なる嵌合等により連結されていてもよい。
【００６６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６７】
１  ヒンジキャップ
２  装着筒部
３  上蓋部
４  ヒンジ部
５  天壁部
９  注出孔
１０  注出筒
１１  収容凹部
１３  被係止面
１８  係止壁
１８ａ  係止壁においてヒンジ部とは反対側を向く壁面
１９  シール突起
３２  第３ヒンジ（装着筒部に対する上蓋部の回動中心）
３３  係止突起（係止部）
５０  容器本体
５１  口部
ａ  突出量
Ｏａ（Ｏ）  上蓋部の軸（キャップ軸）
ｒ  上蓋部の回動中心と係止壁の壁面との間の距離
Ｓ  仮想平面
△ｘ  係止壁の壁面と被係止面との間の距離
θ  上蓋部が半開位置とされた状態における開き角度
【図１】
0006051121.tif 000002
【図２】
0006051121.tif 000003
【図３】
0006051121.tif 000004
【図４】
0006051121.tif 000005
【図５】
0006051121.tif 000006
【図６】
0006051121.tif 000007
【図７】
0006051121.tif 000008
【図８】
0006051121.tif 000009
【図９】
0006051121.tif 000010
【図１０】
0006051121.tif 000011
【図１１】
0006051121.tif 000012
【図１２】
0006051121.tif 000013